(57)【要約】  モバイルステーションは、基地局と通信する無線部と、無線部とは無関係に近距離無線通信を実行する近距離無線部と、を含む。モバイルステーションの表示部に実装されたバックライトは、選択的にオンオフ可能である。バックライトが停止したときに近距離無線部の動作は不可能にされ、バックライトが起動したときに近距離無線部の動作は可能にされる。
2014514882.tif 000002
【特許請求の範囲】
【請求項１】
モバイルステーションであって、
基地局と通信する無線部と、
前記無線部とは無関係に近距離無線通信を実行する近距離無線部と、
前記モバイルステーションの表示部に実装されたバックライトをオンオフする手段と、
前記バックライトが停止したときに前記近距離無線部の動作を不可能にし、前記バックライトが起動したときに前記近距離無線部の動作を可能にするための制御手段と、を含むモバイルステーション。
【請求項２】
前記近距離無線部がＮＦＣモードで動作する、請求項１に記載のモバイルステーション。
【請求項３】
前記バックライトをオンオフする前記手段が、前記モバイルステーションのユーザによって起動可能な少なくとも１つのボタンを含む、請求項１に記載のモバイルステーション。
【請求項４】
前記バックライトをオフする前記手段が、所定期間の後に前記バックライトの電源を切るためのタイマを含む、請求項１に記載のモバイルステーション。
【請求項５】
基地局と通信する無線部を含むモバイルステーションの近距離無線部の動作を可能にする方法であって、前記近距離無線部は前記無線部とは無関係に近距離無線通信を実行し、前記モバイルステーションは、前記モバイルステーションの表示部に実装されたバックライトをさらに含み、前記方法は、
前記バックライトが停止したときに前記近距離無線部の動作を不可能にするステップと、
前記バックライトが起動したときに前記近距離無線部の動作を可能にするステップと、を含む方法。
【発明の詳細な説明】
【技術分野】
【０００１】
本発明は、遠隔通信分野に関し、より正確には、基地局と通信する無線部と、この無線部とは無関係に近距離無線通信を実行するための近距離無線部とを含む、携帯電話などのモバイルステーションに関する。近距離無線部は、たとえば決済端末などの別のステーションと通信するために使用される、たとえばＮＦＣ無線部である。近距離無線部はまた、Ｂｌｕｅｔｏｏｔｈ（登録商標）無線部であってもよい。
【背景技術】
【０００２】
携帯端末は、別の携帯端末にクーポンまたはお金を送って支払をするために、使用されることが可能である。近距離無線通信の問題は、このような携帯端末を有する端末のユーザが、自分の携帯端末が近距離通信モードになっていることに必ずしも気付かないことである。端末の画面上の小さな表示のみが、近距離無線通信が起動していることを示す場合が多い。ユーザが自分の端末上の近距離通信をうっかり起動してしまった場合、何らかの悪意の人々は、たとえばエントリーカードなど、ユーザの同意を得ずに携帯電話の中に存在する情報を読み取ることが可能である。また、近距離通信が起動しているときに悪意の人々がリーダを携帯端末に近づけた場合に、望ましくない金融取引が行われる危険性もある。
【発明の概要】
【発明が解決しようとする課題】
【０００３】
本発明は、この問題を解決するという目的を有する。
【０００４】
より正確には、本発明の目的の１つは、携帯端末中にすでに存在している簡便な手段を用いることによって、携帯端末のユーザの承認がない限り近距離通信が行われないことを保証することである。
【０００５】
本発明の別の目的は、近距離無線通信は非常に電力を消費する場合が多いので、携帯端末の消費電力を削減することである。
【課題を解決するための手段】
【０００６】
本発明によれば、この目的は、携帯端末のバックライトを使用することによって達成される。携帯端末の表示部のバックライトをオンオフする手段が提供される。制御手段は、バックライトが停止したときに近距離無線部の動作を不可能にし、バックライトが起動したときに近距離無線部の動作を可能にする。
【０００７】
近距離通信が有効か否かを示すために携帯端末の画面のバックライトを使用することは、ユーザに対する強力な視覚的表示である。電源が入れられた後、バックライトは通常、およそ１０秒後に自動的に電源が切れる。この時間枠は、たとえば金融取引などのトランザクション（たとえばＮＦＣリーダ上でのタップ）を実行するのに十分である。
【０００８】
携帯端末の画面のバックライトは通常、携帯端末がスタンバイモードにあるときに携帯端末の２つのボタンを連続的に、２から３秒の時間枠の中で押した後に、ユーザによって電源を入れられる。この操作はまた、端末のキーパッドのロックも解除する。およそ１０秒後に、バックライトの電源が切れる。
【０００９】
好ましくは本発明は、ＮＦＣモードで動作する近距離無線部に適用される。
【００１０】
本発明はまた、基地局と通信する無線部を含むモバイルステーションの近距離無線部の動作を可能にする方法にも関し、近距離無線部は無線部とは無関係に近距離無線通信を実行し、モバイルステーションは、モバイルステーションの表示部に実装されたバックライトを含む。この方法は、
バックライトが停止したときに近距離無線部の動作を不可能にするステップと、
バックライトが起動したときに近距離無線部の動作を可能にするステップと、を含む。
【００１１】
本発明のその他の特徴は、以下の添付図面を参照して記載される。
【図面の簡単な説明】
【００１２】
【図１】本発明による携帯端末を示す図である。
【発明を実施するための形態】
【００１３】
図１において、モバイルステーション１０は、アンテナ１２を通じて基地局１１と通信する、図示しない無線部を含む。モバイルステーション１０はまた、たとえばＮＦＣまたはＢｌｕｅｔｏｏｔｈ通信など、無線部とは無関係に近距離無線通信を実行するための、近距離無線部１３も含む。近距離無線部１３は、たとえばＮＦＣシステムアプリケーションなどの近距離システムアプリケーション１４、近距離物理バスドライバ１５、および近距離チップ１６を含む。モバイルステーション１０はまた、モバイルステーション１０の画面のバックライトを管理するために使用される電力管理システムを含む、オペレーティングシステム１７も含む。バックライトは、たとえば端末１０のキーパッドの１つのボタンを押すことによって、または２つのボタンを連続的かつ迅速に押すことによってユーザインタラクション１８を通じて、あるいは省電力エージェント１９を通じて、オンオフ設定されることが可能である。省電力エージェント１９は、モバイルステーション１０のバックライトの電源を切ることができる。これは、たとえば１０秒後などの所定期間の後にバックライトの電源を切るための、たとえばタイマを含む。
【００１４】
本発明によれば、オペレーティングシステム１７は、バックライトが停止したときに（オフ状態）近距離無線部１３の動作を不可能にし、バックライトが起動したときに（オン状態）近距離無線部１３の動作を可能にする手段を含む。これは、システムアプリケーション１４に（信号２０によって）バックライトがオン（またはオフ）であることを通知することによって、実行可能である。システムアプリケーション１４はその後、近距離無線部１３のドライバ１５を（信号２１によって）有効化または無効化する。これは、近距離無線機能（たとえばＮＦＣ機能）をオンまたはオフ設定するために、（信号２２によって）近距離チップ１６の通電をオンまたはオフする。
【００１５】
本発明はまた、基地局１１と通信する無線部を含むモバイルステーション１０の近距離無線部１３の動作を可能にする方法にも関する。近距離無線部１３は、無線部とは無関係に近距離無線通信を実行するように設計されている。モバイルステーション１０は、モバイルステーション１０の表示部に実装されたバックライトを含み、方法は、
バックライトが停止したときに近距離無線部１３の動作を不可能にするステップと、
バックライトが起動したときに近距離無線部１３の動作を可能にするステップと、を含む。
【００１６】
本発明は、携帯端末のバックライト機構を使用することによって、携帯端末のユーザの承認がない限り近距離通信が行われないことを、保証する。本発明はまた、ＮＦＣトランザクションおよびピアの検出が非常に電力を消費するので、携帯端末の消費電力を削減する。バックライトが起動していないときに端末のＮＦＣ機能を自動的にオフにすることで、消費電力を節約する。
【図１】
2014514882.tif 000003
【国際調査報告】
2014514882.tif 000004
2014514882.tif 000005